(57)【特許請求の範囲】
【請求項１】
制御基板を内部に設ける装置本体と、
前記制御基板に接続されていて、前記装置本体の外側からメモリを着脱可能に構成されたメモリ収容部と、
前記装置本体の外面の一部を構成すると共に前記メモリ収容部を覆うメモリカバーと、
前記メモリカバーの取手部に近接して設けられた接地部材と、を備え、
前記接地部材は、前記取手部からの離間方向に凹んだ凹部を前記取手部の近傍に有して形成されることを特徴とする画像形成装置。
【請求項２】
制御基板を内部に設ける装置本体と、
前記制御基板に接続されていて、前記装置本体の外側からメモリを着脱可能に構成されたメモリ収容部と、
前記装置本体の外面の一部を構成すると共に前記メモリ収容部を覆うメモリカバーと、
前記メモリカバーの取手部に近接して設けられた接地部材と、を備え、
前記装置本体は、その背面に開閉可能な背面カバーを備え、
前記メモリカバーは、前記装置本体の側面から背面へと延在するように形成され、
前記取手部は、前記メモリカバーの後端に形成され、前記背面カバーが閉状態の場合に前記背面カバーによって覆われ、前記背面カバーが開状態の場合に露出されることを特徴とする画像形成装置。
【請求項３】
前記メモリカバーは、閉状態の前記背面カバーに係止される係止部を後端に有することを特徴とする請求項２に記載の画像形成装置。
【請求項４】
前記メモリカバーは、前記装置本体に係合して取り付けられる係合部を前端に有し、前記メモリカバーは、前記係合部を軸にして、前記メモリ収容部を覆う閉状態と前記メモリ収容部を露出させる開状態との間で回動可能になることを特徴とする請求項２又は請求項３に記載の画像形成装置。
【請求項５】
前記メモリカバーは、開方向への回動を規制する回動規制部を備えることを特徴とする請求項４に記載の画像形成装置。
【請求項６】
前記メモリカバーは、後方への摺動を規制する摺動規制部を備えることを特徴とする請求項２ないし請求項５の何れか１項に記載の画像形成装置。
【請求項７】
前記接地部材は、前記取手部からの離間方向に凹んだ凹部を前記取手部の近傍に有して形成されることを特徴とする請求項２ないし請求項６の何れか１項に記載の画像形成装置。
【請求項８】
制御基板を内部に設ける装置本体と、
前記制御基板に接続されていて、前記装置本体の外側からメモリを着脱可能に構成されたメモリ収容部と、
前記装置本体の外面の一部を構成すると共に前記メモリ収容部を覆うメモリカバーと、
前記メモリカバーの取手部に近接して設けられた接地部材と、を備え、
前記メモリカバーは、前記装置本体に係合して取り付けられる係合部を前端に有し、前記メモリカバーは、前記係合部を軸にして、前記メモリ収容部を覆う閉状態と前記メモリ収容部を露出させる開状態との間で回動可能になることを特徴とする画像形成装置。
【請求項９】
前記メモリカバーは、閉状態の前記背面カバーに係止される係止部を後端に有することを特徴とする請求項８に記載の画像形成装置。
【請求項１０】
前記メモリカバーは、開方向への回動を規制する回動規制部を備えることを特徴とする請求項８又は９に記載の画像形成装置。
【請求項１１】
前記メモリカバーは、後方への摺動を規制する摺動規制部を備えることを特徴とする請求項８ないし請求項１０の何れか１項に記載の画像形成装置。
【請求項１２】
前記接地部材は、前記取手部からの離間方向に凹んだ凹部を前記取手部の近傍に有して形成されることを特徴とする請求項８ないし請求項１１の何れか１項に記載の画像形成装置。
【発明の詳細な説明】
【技術分野】
【０００１】
本発明は、メモリを安全に増設可能な画像形成装置に関する。
【背景技術】
【０００２】
従来、複写機やプリンター等の画像形成装置では、画像形成処理やその他の処理を制御するために、ＣＰＵやメモリ、並びに各種電子回路が実装された制御基板を備える。また、画像形成装置は、このような制御基板に対して、ＤＩＭＭ等のメモリを着脱可能に構成されるものがある。
【０００３】
しかしながら、メモリを装着する際に、静電気を持ったユーザが制御基板やメモリの接続端子等に接触又は接近すると、その静電気によって制御基板に搭載された内蔵メモリや電子回路が破壊される恐れがある。そこで、画像形成装置では、静電気の影響を受けることなく、メモリを装着可能な構成が求められている。例えば、画像形成装置では、制御基板やメモリを覆うシールド板金に装着されている板金カバーをユーザが外すことで静電気を除去する方法や、メモリを覆うカバー用の手締めビスをユーザが操作することで静電気を除去する方法がある。
【０００４】
また、特許文献１の画像形成装置では、メモリカード収納部に収納されたメモリカードは、メモリカード収納部の底部となっていて装置本体のアースに電気的に接続されている板金スキャナーカバーに、メモリカードのハウジングの一面が常に接触するように構成され、メモリカード自体の帯電による静電気を板金スキャナーカバー側へと逃がしている。
【先行技術文献】
【特許文献】
【０００５】
【特許文献１】特開２０１３−１８６１６９号公報
【発明の概要】
【発明が解決しようとする課題】
【０００６】
しかしながら、上記したような画像形成装置では、シールド板金を備える必要があるため、部品点数が増加してコストが上昇し、また、メモリの着脱時にシールド板金の板金カバーを外す必要があるため、ユーザに作業負担が係る。また、特許文献１のような画像形成装置では、メモリカードの着脱時に、外装カバーや樹脂カバーの着脱が必要であり、ユーザにとって作業負担が大きくなる。
【０００７】
そこで、本発明は上記事情を考慮し、メモリの安全な装着を容易にすると共に、静電気を確実に除去することを目的とする。
【課題を解決するための手段】
【０００８】
本発明の画像形成装置は、制御基板を内部に設ける装置本体と、前記制御基板に接続されていて、前記装置本体の外側からメモリを着脱可能に構成されたメモリ収容部と、前記装置本体の外面の一部を構成すると共に前記メモリ収容部を覆うメモリカバーと、前記メモリカバーの取手部に近接して設けられた接地部材と、を備える。
【０００９】
このような構成を採用することにより、画像形成装置のメモリの増設作業を行うユーザは、メモリカバーの取手部の操作という簡易な作業によって、メモリの増設が可能になると共に、意識することなく静電気を除去することができる。従って、メモリの安全な装着を容易にすると共に、静電気を確実に除去することが可能となる。また、シールド板金を備える必要がないため、コストを下げることが可能になる。
【００１０】
また、前記装置本体は、その背面に開閉可能な背面カバーを備え、前記メモリカバーは、前記装置本体の側面から背面へと延在するように形成され、前記取手部は、前記メモリカバーの後端に形成され、前記背面カバーが閉状態の場合に前記背面カバーによって覆われ、前記背面カバーが開状態の場合に露出されるとよい。
【００１１】
このような構成を採用することにより、背面カバーを利用した簡易な構成で、メモリカバーの開閉を規制することができる。
【００１２】
また、前記メモリカバーは、閉状態の前記背面カバーに係止される係止部を後端に有してもよい。
【００１３】
このような構成を採用することにより、背面カバーが閉状態の場合には、メモリカバーの開放を確実に規制することができる。
【００１４】
また、前記メモリカバーは、前記装置本体に係合して取り付けられる係合部を前端に有し、前記メモリカバーは、前記係合部を軸にして、前記メモリ収容部を覆う閉状態と前記メモリ収容部を露出させる開状態との間で回動可能になるように構成されてもよい。
【００１５】
このような構成を採用することにより、メモリカバーは、簡易な構成でメモリ収容部を覆うことが可能となる。
【００１６】
また、前記メモリカバーは、開方向への回動を規制する回動規制部を備えてもよい。
【００１７】
また、前記メモリカバーは、後方への摺動を規制する摺動規制部を備えてもよい。
【００１８】
これらのような構成を採用することにより、メモリ収容部をメモリカバーで覆う状態を確実に維持することができ、増設メモリや制御基板を確実に保護することができる。
【００１９】
また、前記接地部材は、前記取手部からの離間方向に凹んだ凹部を前記取手部の近傍に有して形成されてもよい。
【００２０】
このような構成を採用することにより、ユーザの操作性を向上することが可能となる。
【発明の効果】
【００２１】
本発明によれば、メモリの安全な装着を容易にすると共に、静電気を確実に除去することを可能にする。
【図面の簡単な説明】
【００２２】
【図１】本発明の一実施形態に係るプリンターの概略を示す模式図である。
【図２】本発明の一実施形態に係るプリンターを示す前側からの斜視図である。
【図３】本発明の一実施形態に係るプリンターを示す後側からの斜視図である。
【図４】本発明の一実施形態に係るプリンターにおける制御基板及びその周辺を示す上方からの断面図である。
【図５】本発明の一実施形態に係るプリンターにおいて、背面カバーが閉状態の場合のメモリカバー及びその周辺を示す後方からの斜視図である。
【図６】本発明の一実施形態に係るプリンターにおいて、背面カバーが閉状態の場合のメモリカバー及びその周辺を示す側方からの斜視図である。
【図７】本発明の一実施形態に係るプリンターにおいて、背面カバーが開状態の場合のメモリカバー及びその周辺を示す後方からの斜視図である。
【図８】本発明の一実施形態に係るプリンターにおいて、背面カバーが開状態で、且つメモリカバーを外した場合のメモリ収容部及びその周辺を示す後方からの斜視図である。
【図９】本発明の一実施形態に係るプリンターにおいて、背面カバーが開状態で、且つメモリカバーを外した場合のメモリ収容部及びその周辺を示す側方からの斜視図である。
【図１０】本発明の他の実施形態に係るプリンターにおけるメモリカバー及び接地部材を示す上方からの断面図である。
【発明を実施するための形態】
【００２３】
まず、プリンター１（画像形成装置）の全体の構成について図面を参照しながら説明する。図１は、本発明の一実施形態に係るプリンターの概略を示す模式図であり、図２は、本発明の一実施形態に係るプリンターを示す前側からの斜視図であり、図３は、本発明の一実施形態に係るプリンターを示す後側からの斜視図である。以下、図１における右側を、プリンター１の前側（正面側）とする。なお、各図に付される矢印Ｆｒは、プリンター１の前側（正面側）を示している。
【００２４】
図１に示されるように、プリンター１は、箱型形状のプリンター本体２（装置本体）を備えていて、プリンター本体２の下部には用紙（記録媒体）を収納する給紙カセット３が設けられ、プリンター本体２の上部には排紙トレイ４が設けられている。
【００２５】
プリンター本体２の前部には、レーザー・スキャニング・ユニット（ＬＳＵ）で構成される露光器５が配置され、プリンター本体２の後部には、画像形成部６が設けられている。画像形成部６には、感光体ドラム７（像担持体）が回転可能に設けられていて、感光体ドラム７の周囲には、帯電器８と、トナーコンテナ１０に接続された現像器１１と、転写ローラー１２と、クリーニング装置１３とが、感光体ドラム７の回転方向（図１の矢印Ｘ参照）に沿って配置されている。
【００２６】
プリンター本体２の後部には、下方から上方に向かって用紙の搬送経路１４が設けられている。搬送経路１４の上流端には給紙部１５が設けられ、搬送経路１４の中流部には、感光体ドラム７と転写ローラー１２によって構成される転写部１６が設けられ、搬送経路１４の下流部には定着装置１７が設けられている。搬送経路１４の後側には、両面印刷用の反転経路１８が設けられている。
【００２７】
また、図３に示すように、プリンター本体２の背面側には、背面カバー２０が開閉可能に取り付けられ、背面カバー２０の右側（紙面左側）には、メモリカバー２１が開閉可能に取り付けられている。メモリカバー２１は、その左縁が背面カバー２０の右縁に沿うように配置されている。
【００２８】
次に、このような構成を備えたプリンター１の画像形成動作について説明する。
【００２９】
プリンター１に接続されたコンピューター等から画像データが入力され、印刷開始の指示がなされると、以下のようにして画像形成動作が実行される。
【００３０】
まず、帯電器８によって感光体ドラム７の表面が帯電された後、露光器５からのレーザー光（図１の矢印Ｐ参照）により感光体ドラム７に対して画像データに対応した露光が行われ、感光体ドラム７の表面に静電潜像が形成される。次に、トナーコンテナ１０から供給されるトナーによって、現像器１１が静電潜像をトナー像に現像する。
【００３１】
一方、給紙部１５によって給紙カセット３から取り出された用紙は、上記した画像形成動作とタイミングを合わせて転写部１６へと搬送され、転写部１６において感光体ドラム７上のトナー像が用紙に転写される。トナー像を転写された用紙は、搬送経路１４を下流側へと搬送されて定着装置１７に進入し、この定着装置１７において用紙にトナー像が定着される。トナー像が定着された用紙は、搬送経路１４の下流端から排紙トレイ４に排出される。なお、感光体ドラム７上に残留したトナーは、クリーニング装置１３によって回収される。
【００３２】
次に、プリンター１の制御基板２２及びその周辺の構成について図４〜図９を参照しながら説明する。図４は、制御基板２２及びその周辺を示す上方からの断面図であり、図５は、背面カバー２０が閉状態の場合のメモリカバー２１及びその周辺を示す後方からの斜視図であり、図６は、背面カバー２０が閉状態の場合のメモリカバー２１及びその周辺を示す側方からの斜視図であり、図７は、背面カバー２０が開状態の場合のメモリカバー２１及びその周辺を示す後方からの斜視図である。図８は、背面カバー２０が開状態で、且つメモリカバー２１を外した場合の、後述するメモリ収容部２４及びその周辺を示す後方からの斜視図であり、図９は、背面カバー２０が開状態で、且つメモリカバー２１を外した場合の、後述するメモリ収容部２４及びその周辺を示す側方からの斜視図である。
【００３３】
図４に示すように、プリンター本体２の内部には、画像形成処理やその他の処理を制御するために、制御基板２２が右後部に設けられ、制御基板２２には、ＣＰＵやメモリ、並びに各種電子回路が実装される。また、制御基板２２には、メモリソケット２３が接続されていて、メモリソケット２３は、ＤＩＭＭ等の増設用メモリを右側から着脱可能に構成される。
【００３４】
制御基板２２の右側には、外側（右側）に向かって開口したメモリ収容部２４がプリンター本体２の右後部に形成されている。上記したメモリソケット２３は、メモリ収容部２４に設けられ、上記したメモリカバー２１は、メモリ収容部２４を覆うようにプリンター本体２に取り付けられる。即ち、ユーザは、メモリカバー２１を開状態にすることでメモリ収容部２４を介して増設用メモリをメモリソケット２３に対して右側（外側）から着脱することができる。
【００３５】
また、制御基板２２の後方には、接地部材２５がメモリカバー２１の後側端部の近傍に設けられている。
【００３６】
次に、メモリカバー２１について説明する。メモリカバー２１は、前後方向に長形を有してプリンター本体２の右後側の外面の一部を構成するように構成され、プリンター本体２の側面（右側面）から後方へと伸びると共に左側に湾曲して背面へと延在するように形成される。
【００３７】
メモリカバー２１は、係合部２６を前端に有し、係合部２６は、メモリ収容部２４の前側でプリンター本体２に設けられた被係合部２７に係合してプリンター本体２に取り付けられる。例えば、係合部２６は、メモリカバー２１の前端から断面Ｌ字形状に突出して形成され、被係合部２７は、前後方向に開口して形成される。そして、メモリカバー２１は、係合部２６を軸にして、メモリ収容部２４を覆う閉状態とメモリ収容部２４を露出させる開状態との間で回動可能になる。このとき、係合部２６は、プリンター本体２に対して着脱可能な（装着及び離脱が可能な）ヒンジとして構成されている。
【００３８】
メモリカバー２１は、取手部２８を左端（後端）に有し、取手部２８は、ユーザの指が掛かる斜面を内側（前側）に有して形成される。即ち、取手部２８は、背面カバー２０が閉状態の場合に背面カバー２０によって覆われていて、背面カバー２０が開状態の場合に露出される。また、メモリカバー２１は、左側へと突出する係止部３０を後端の取手部２８の上方に有し、係止部３０は、閉状態の背面カバー２０に後方から係止される。
【００３９】
メモリカバー２１は、フック状の回動規制部３１を後部内側に有し、回動規制部３１は、メモリカバー２１がプリンター本体２に装着された状態で、プリンター本体２の背面に形成された第１受け部３２に係止される。また、ユーザがメモリカバー２１の取手部２８を操作することで、例えば、取手部２８を後方へ引くことによって、回動規制部３１と第１受け部３２との係止が解除される。例えば、回動規制部３１は、内側（前側）へと突出して右前側に垂直な角を有して形成され、第１受け部３２は、右側に底部を有するＵ字形状に形成される。このように、回動規制部３１が第１受け部３２に係止されることで、装着状態のメモリカバー２１は、右側（開方向）への回動が規制される。
【００４０】
メモリカバー２１は、摺動規制部３３を側部内側に有し、摺動規制部３３は、メモリカバー２１がプリンター本体２に装着された状態で、プリンター本体２の右面に形成された第２受け部３４に係止される。また、メモリカバー２１が右側へと回動されることにより、摺動規制部３３と第２受け部３４との係止が解除される。例えば、回動規制部３３は、内側（左側）へと突出した円柱状に形成され、第１受け部３４は、右側に突出した円筒状を有して摺動規制部３３を嵌合可能に形成される。このように、摺動規制部３３が第２受け部３４に係止されることで、装着状態のメモリカバー２１は、後方への摺動が規制される。
【００４１】
次に、接地部材２５について説明する。接地部材２５は、上下方向及び左右方向に伸びた板金状に形成され、アース線等に接続されて接地されている。接地部材２５は、装着状態のメモリカバー２１の取手部２８の直ぐ後側の近傍でプリンター本体２にビス３５等で締結され、接地部材２５と取手部２８との間の距離が、ユーザの指先が取手部２８に触れると同時に接地部材２５にも触れている間隔、例えば、２〜３ｍｍになるように配置されている。接地部材２５は、装着状態のメモリカバー２１の上下方向中央から下方に延在するように配置され、また、装着状態のメモリカバー２１の左端（後端）を中心にして左右方向に延在するように配置されている。
【００４２】
本実施形態によれば、上述のように、プリンター１は、制御基板２２を内部に設けるプリンター本体２（装置本体）と、制御基板２２に接続されていて、プリンター本体２の外側からメモリを着脱可能に構成されたメモリ収容部２４と、プリンター本体２の外面の一部を構成すると共にメモリ収容部２４を覆うメモリカバー２１と、メモリカバー２１の取手部２８に近接して設けられた接地部材２５と、を備える。
【００４３】
これにより、プリンター１のメモリの増設作業を行うユーザは、メモリカバー２１の取手部２８の操作という簡易な作業によって、メモリの増設が可能になると共に、意識することなく静電気を除去することができる。従って、メモリの安全な装着を容易にすると共に、静電気を確実に除去することが可能となる。また、シールド板金を備える必要がないため、コストを下げることが可能になる。
【００４４】
また、本実施形態によれば、プリンター本体２は、その背面に開閉可能な背面カバー２０を備え、メモリカバー２１は、プリンター本体２の側面から背面へと延在するように形成され、取手部２８は、メモリカバー２１の後端に形成され、背面カバー２０が閉状態の場合に背面カバー２０によって覆われ、背面カバー２０が開状態の場合に露出される。これにより、背面カバー２０を利用した簡易な構成で、メモリカバー２０の開閉を規制することができる。
【００４５】
更に、本実施形態によれば、メモリカバー２１は、閉状態の背面カバー２０に係止される係止部３０を後端に有する。これにより、背面カバー２０が閉状態の場合には、メモリカバー２１の開放を確実に規制することができる。
【００４６】
また、本実施形態によれば、メモリカバー２１は、プリンター本体２に係合して取り付けられる係合部２６を前端に有し、メモリカバー２１は、係合部２６を軸にして、メモリ収容部２４を覆う閉状態とメモリ収容部２４を露出させる開状態との間で回動可能になる。これにより、メモリカバー２１は、簡易な構成でメモリ収容部２４を覆うことが可能となる。
【００４７】
更に、本実施形態によれば、メモリカバー２１は、右側（開方向）への回動を規制する回動規制部３１を備える。また、本実施形態によれば、メモリカバー２１は、後方への摺動を規制する摺動規制部３３を備える。これらにより、メモリ収容部２４をメモリカバー２１で覆う状態を確実に維持することができ、増設メモリや制御基板２２を確実に保護することができる。
【００４８】
本実施形態では、接地部材２５は、上下方向及び左右方向に伸びた板金状に形成され、メモリカバー２１の取手部２８は、ユーザの指が掛かる斜面を内側（前側）に有して形成される構成を説明したが、この構成に限定されない。例えば、他の実施形態では、図１０に示すように、接地部材２５は、取手部２８からの離間方向（前方）に凹んだ凹部３６を取手部２８の近傍に有して形成されてもよい。これにより、ユーザの操作性を向上することが可能となる。なお、取手部２８は、斜面を有してもよいが、接地部材２５と取手部２８との間の距離が、ユーザの指先が入る十分な間隔であれば、斜面を有することなく構成されてもよい。
【００４９】
また、本実施形態では、コストの上昇を抑えるために、接地部材２５を、メモリカバー２１の取手部２８の近傍に設ける構成を説明したが、この構成に限定されない。例えば、他の実施形態では、接地部材２５は、メモリカバー２１の左端の全域に亘って設けてもよい。
【００５０】
更に、本実施形態では、メモリカバー２１の係合部２６は、プリンター本体２に対して着脱可能なヒンジである構成を説明したが、この構成に限定されない。例えば、他の実施形態では、係合部２６は、プリンター本体２の被係合部２７に対して回転軸を介して軸支されるように構成されてもよい。
【００５１】
また、本実施形態では、制御基板２２はプリンター本体２の右後部に設けられ、これに伴って、メモリ収容部２４、メモリカバー２１、接地部材２５もプリンター本体２の右後部に設けられる構成を説明したが、この構成に限定されない。例えば、他の実施形態では、制御基板２２はプリンター本体２の左後部、右前部又は左前部に設けられ、これに伴って、メモリ収容部２４、メモリカバー２１、接地部材２５もプリンター本体２の左後部、右前部又は左前部に設けられるように構成されてもよい。
【００５２】
本実施形態では、プリンター１に本発明の構成を適用する場合について説明したが、他の異なる実施形態では、複写機、ファクシミリ、複合機等の他の画像形成装置に本発明の構成を適用することも可能である。
【符号の説明】
【００５３】
１  プリンター（画像形成装置）
２  プリンター本体
２０  背面カバー
２１  メモリカバー
２２  制御基板
２３  メモリソケット
２４  メモリ収容部
２５  接地部材
２６  係合部
２７  被係合部
２８  取手部
３０  係止部
３１  回動規制部
３２  第１受け部
３３  摺動規制部
３４  第２受け部
３６  凹部
【図１】
0006372420.tif 000002
【図２】
0006372420.tif 000003
【図３】
0006372420.tif 000004
【図４】
0006372420.tif 000005
【図５】
0006372420.tif 000006
【図６】
0006372420.tif 000007
【図７】
0006372420.tif 000008
【図８】
0006372420.tif 000009
【図９】
0006372420.tif 000010
【図１０】
0006372420.tif 000011